(57)【要約】【課題】      ツマミ体の環状部裏面のスプ−ル開口部内への釣糸の糸絡みを防止した魚釣用スピニングリ−ルを提供することである。【解決手段】  スプ−ル４の収容凹部４ｄの前側の開口部４ｅ内と前側の鍔部４ｂにはカバ−部材６が取り付けられ、カバ−部材６は金属や合成樹脂でスプ−ル４の開口部４ｅに嵌合される筒部６ａと傾斜段部６ｂと筒部６ａより大径の筒部６ｃと、筒部６ｃの開口部より外側の前端に向けて開口径が拡大する傾斜状環状面６ｄ、６ｅ、６ｆが形成されており、ツマミ体７の少なくとも操作部７ｂを除く環状部７ａが筒部６ａの開口部内に配置され、大径の筒部６ｃと傾斜状環状面６ｄ、６ｅ、６ｆの内側の稜線ｂの開口径ｈ、傾斜状環状面６ｄ、６ｅ、６ｆの頂部ａの外側の稜線ｃの開口径Ｈとすると、ｈ＜Ｈで開口径が拡大されている。【選択図】        図２
2006180788.tif 000002
【特許請求の範囲】
【請求項１】
ハンドルの回転で連動回転するロ−タに設けた釣糸案内部を介して釣糸が巻回されるスプ−ルを、リ−ル本体に設けたスプ−ル軸に装着されるツマミ体で抜け止めされてなる魚釣用スピニングリ−ルにおいて、前記スプ−ルの前部に形成される収容凹部の開口部を前端に向けて開口径が拡大する傾斜状環状面に形成し、前記ツマミ体の少なくとも操作部を除く環状部を前記開口部内に配置したことを特徴とする魚釣用スピニングリ−ル。
【発明の詳細な説明】
【技術分野】
【０００１】
本発明は、ハンドル操作で連動回転するロ−タの釣糸案内部を介してスプ−ルに釣糸を巻回する魚釣用スピニングリ−ルの改良に関する。
【背景技術】
【０００２】
従来、魚釣用スピニングリ−ルの釣糸が巻回されるスプ−ルは、ハンドルの回転で前後往復動されるスプ−ル軸の前部に回転不能、又は、特許文献１又は特許文献２に開示されるように、ドラグ機構でスプ−ル軸に対して回転可能に摩擦結合され、スプ−ル軸の先端部に螺合されたツマミで、スプ−ルの摩擦結合力（ドラグ力）が調節されると共に抜け止め装着されている。
更にスプ−ル軸の先端部に螺合されるツマミは、前部に突設した操作部と、スプ−ル前部の開口凹部内に収容される環状本体部と、制動部材を押圧する押圧部とで一体形成されている。
本願図５のようにツマミ７′の環状本体部αは、スプ−ル４′前部の開口縁部βより前方に突出配設されていると共に、開口部との径方向対向面間に隙間γをもって収容されているので、釣糸の巻き取り操作や放出操作等の使用中にフケた釣糸や撚れた釣糸が、前方に突出したツマミ７′の環状本体部αの外周に引っ掛かって隙間γ内に入り込み、釣糸が絡み付く等のトラブルが発生し易い。
【特許文献１】特開平１１−１８６４２号公報
【特許文献２】特開２０００−２２４９４４号公報
【発明の開示】
【発明が解決しようとする課題】
【０００３】
解決しようとする問題点は、スプ−ル軸の先端部に螺合されたツマミの環状本体部は、スプ−ル前部の開口縁部より前方に突出配設されていると共に、開口部との径方向対向面間に隙間をもって収容されているので、釣糸の巻き取り操作や放出操作等の使用中にフケた釣糸や撚れた釣糸が、前方に突出したツマミの環状本体部の外周に引っ掛かって隙間内に入り込み、釣糸が絡み付く等のトラブルが発生し易いことである。
【０００４】
本発明の目的は前記欠点に鑑み、ツマミ体の環状部裏面のスプ−ル開口部内への釣糸の糸絡みを防止した魚釣用スピニングリ−ルを提供することである。
【課題を解決するための手段】
【０００５】
本発明は、ハンドルの回転で連動回転するロ−タに設けた釣糸案内部を介して釣糸が巻回されるスプ−ルを、リ−ル本体に設けたスプ−ル軸に装着されるツマミ体で抜け止めされてなる魚釣用スピニングリ−ルにおいて、前記スプ−ルの前部に形成される収容凹部の開口部を前端に向けて開口径が拡大する傾斜状環状面に形成し、前記ツマミ体の少なくとも操作部を除く環状部を前記開口部内に配置したことを要旨とするものである。
【発明の効果】
【０００６】
本発明により、スプ−ル軸に対してスプ−ルを抜け止めするツマミ体の少なくとも操作部を除く環状部を、スプ−ル前部の前端に向けて開口径ｈが開口径Ｈに拡大する傾斜状環状面を有する開口部内に配設する構成としたので、魚釣り操作中の糸フケ、糸撚れの影響によるツマミ体への糸の絡み付きを確実に防止できる。
又、スプ−ル形状により糸絡みを防止できる構成にしたので、ツマミ体のデザイン的自由度が広がる。
【発明を実施するための最良の形態】
【０００７】
スプ−ル４の収容凹部４ｄの前側の開口部４ｅ内と前側の鍔部４ｂにはカバ−部材６が取り付けられている。
カバ−部材６は金属や合成樹脂でスプ−ル４の開口部４ｅに嵌合される筒部６ａと傾斜段部６ｂと筒部６ａより大径の筒部６ｃと、筒部６ｃより外側に断面湾曲して広がる傾斜状環状面６ｄと頂部ａから前側鍔部４ｂ側に後退する外側の傾斜状環状面６ｅとで一体に形成されている。
大径の筒部６ｃと傾斜状環状面６ｄの内側の稜線ｂの開口径ｈ、傾斜状環状面６ｄの頂部ａの外側の稜線ｃの開口径Ｈとすると、ｈ＜Ｈで開口径が拡大されている。
【実施例１】
【０００８】
以下、図示の実施例によって本発明を説明すると、図１、図２は第１実施例で図１は魚釣用スピニングリ−ルの断面側面図、図２はスプ−ルの拡大断面側面図である。
【０００９】
魚釣用スピニングリ−ルは、リ−ル本体１の一側に図示しない蓋体が図示しないビスで取り付けられ、リ−ル本体１と蓋体の両側に取り付けられた図示しない軸受で駆動歯車１０の回動軸１０ａが軸支され、回動軸１０ａの中心多角形孔にハンドル１１が固定されたハンドル軸１２が左右交換自在に挿入嵌合されている。
リ−ル本体１の前部には軸受１３で回転軸筒２が回転自在に軸受されると共に前側に突出されている。
軸受１３より前側の回転軸筒２の外周にカラ−１４とロ−タ３が嵌合されてナット１５で固定されている。
回転軸筒２の基端は軸受部１ａで回転自在に軸承され、基端の前側に一体的に形成されたピニオン２ａに駆動歯車１０が噛合されてロ−タ３はハンドル１１の回転に連動して回転されるように支持されている。
回転軸筒２の中心孔には先端にスプ−ル４が取り付けられたスプ−ル軸５が前後往復動可能に摺動自在に挿入され、スプ−ル軸５の後端部には摺動子１６が係止板１７で取り付けられている。
【００１０】
リ−ル本体１内の回転軸筒２のピニオン２ａより前側に連動歯車１８が回転軸筒２に回り止め嵌合されている。
リ−ル本体１内にはスプ−ル軸５と平行に摺動機構のトラバ−スカム軸１９が軸受部１ａとリ−ル本体１の後側に取り付けられた側板２０で支承されている。
トラバ−スカム軸１９の先端には小歯車２１が回り止め嵌合されて小歯車２１は前記連動歯車１８に噛合されている。
トラバ−スカム軸１９には前記摺動子１６が嵌合されて摺動子１６に設けた係合子２２の爪がトラバ−スカム溝に係合されている。
スプ−ル軸５は太径部５ａの先端側に段部で太径部５ａより小径の小径部５ｂと小径部５ｂの外周に回り止め部５ｃと、小径部５ｂの先端にネジ部５ｄが形成されている。
【００１１】
ロ−タ３は円筒部３ａと円筒部３ａの後側で放射方向に延出した一対のベ−ル支持腕の基部３ｂ、３ｃと基部から前方に延出された一対のベ−ル支持腕３ｄ、３ｅと円筒部３ａ内の壁部３ｆとボス部３ｇとで形成されている。
一方のベ−ル支持腕３ｄの外側には一方のベ−ル支持部材２３が螺子２４で取り付けられ、他方のベ−ル支持腕３ｅの外側には他方のベ−ル支持部材２５が螺子２６で取り付けられ、実線の釣糸巻取位置と図示しない釣糸放出位置に反転自在に抜止め支持されている。
一方のベ−ル支持部材２３には釣糸案内ロ−ラ２７の取付部２８が取り付けられている。
他方のベ−ル支持部材２５と釣糸案内ロ−ラ２７の取付部２８の間にベ−ル２９が取り付けられている。
【００１２】
スプ−ル４は、釣糸３０が巻回される外周の釣糸巻回胴部４ａと、前側の鍔部４ｂと、後側の大径の筒部４ｃと、スプ−ル４の前部にドラグ機構の制動部材Ａが収容される収容凹部４ｄと収容凹部４ｄの前側の開口部４ｅと後側の軸筒部４ｆと軸筒部４ｆの中心にスプ−ル軸５の小径部５ｂが嵌合される透孔４ｇとで形成されている。
制動部材Ａは、スプ−ル４に回り止めされた金属板の制動板３１とスプ−ル軸５に回り止めされた金属板の制動板３２とフェルトや皮革等からなる摩擦板３３が交互に組み合わされている。
収容凹部４ｄの周面にはスプ−ル４に回り止めされる金属板の制動板３１が回り止め係合される縦溝４ｈが一対形成され、縦溝４ｈの前側に周溝４ｉが形成されて止め環３４が係合されて前端の制動板３１が抜け止めされる。
【００１３】
スプ−ル４の収容凹部４ｄの前側の開口部４ｅ内と前側の鍔部４ｂにはカバ−部材６が取り付けられている。
カバ−部材６は金属や合成樹脂でスプ−ル４の開口部４ｅに嵌合固定される筒部６ａと傾斜段部６ｂと筒部６ａより大径の筒部６ｃと、筒部６ｃより外側に断面湾曲して広がる傾斜状環状面６ｄと頂部ａから前側鍔部４ｂ側に後退する外側の傾斜状環状面６ｅとで一体に形成されている。
大径の筒部６ｃと傾斜状環状面６ｄの内側の稜線ｂより、傾斜状環状面６ｄの頂部ａの外側の稜線ｃを前方に配設している。
大径の筒部６ｃと傾斜状環状面６ｄの内側の稜線ｂの開口径ｈ、傾斜状環状面６ｄの頂部ａの外側の稜線ｃの開口径Ｈとすると、ｈ＜Ｈで開口径が拡大されている。
カバ−部材６はスプ−ル４の前側の鍔部４ｂの前側にスプ−ル４と一体に突設形成してもよい。
【００１４】
スプ−ル軸５のネジ部５ｄにはツマミ体７のナット３５が螺合される。
ツマミ体７は環状部７ａの表面に操作部７ｂが、環状部７ａの裏面に筒部７ｃと数条の腕部７ｄが形成されて腕部７ｄの先端に鈎部７ｅが形成されている。
筒部７ｃの内面には回り止め面７ｆが形成されてナット３５に形成された回り止め面３５ａが係合される。
ツマミ体７には制動部材Ａの制動板３１、３２、３３を押圧する押圧部材８が組み合わされている。
押圧部材８は底面８ａと、底面８ａの外側の押圧面８ｂと、底面８ａの中心透孔８ｃと、外周壁８ｄと、外周壁８ｄに穿設された２組の透孔８ｅ、８ｆとで形成されている。
ツマミ体７の鈎部７ｅは押圧部材８の透孔８ｅ、８ｆに係止されてツマミ体７と押圧部材８が一体化されている。
ナット３５と押圧部材８の底面８ａの間には発条３６が挿入されている。
【００１５】
スプ−ル軸５にスプ−ル４が取り付けられる時は、太径部５ａの前側の小径部５ｂにワッシャ３７と摩擦板３８が嵌合され、摩擦板３８の前側の小径部５ｂにスプ−ル４の軸筒部４ｆの透孔４ｇが嵌合される。
その後収容凹部４ｄにドラグ機構の制動部材Ａが収容され、スプ−ル軸５のネジ部５ｄにツマミ体７内のナット３５が螺合される。
この時ツマミ体７が低制動力になるようにナット３５がネジ部５ｄに螺合されてもツマミ体７の環状部７ａはカバ−部材６の内側の稜線ｂより前側に突出することはない。
【００１６】
魚釣用スピニングリ−ルの動作は、釣糸３０がスプ−ル４に巻回される方向にハンドル１１が回転されると、駆動歯車１０が回転されてピニオン１０ａを介して回転軸筒２とロ−タ３が正回転される。
更に連動歯車１８と小歯車２１を介してトラバ−スカム軸１９が連動回転されて摺動子１６とスプ−ル軸５とスプ−ル４が前後に往復動される。
制動力が調節される時は、ツマミ体７の突設された操作部７ｂを指で回動され、ツマミ体７が回動されると、ナット３５がスプ−ル軸５のネジ部５ｄに螺合されて押圧部材８が制動部材Ａに押圧されたり緩められて制動力が調節される。
仕掛が投擲されて釣糸３０が遠方へ放出される際は、ベ−ル支持部材２３、２５が釣糸放出位置に反転されて釣竿が勢いよく振り下ろされる。
この時釣糸巻回胴部４ｂに巻回されている釣糸３０はスパイラル状に解かれて前側鍔部４ｂとカバ−部材６より前方へ放出される。
【００１７】
前記のように魚釣用スピニングリ−ルが構成されると、スプ−ル軸５に対してスプ−ル４を抜け止めするツマミ体７の少なくとも操作部７ｂを除く環状部７ａを、スプ−ル４前部の前端に向けて開口径ｈが開口径Ｈに拡大する傾斜状環状面６ｄを有する開口部４ｅ内に配設する構成とし、傾斜状環状面６ｄの外側の稜線ｃを内側の稜線ｂより前方に配設して低制動力調節状態でもツマミ体７の環状部７ａが内側の稜線ｂより内側（後方）となるように構成したので、魚釣り操作中の糸フケ、糸撚れの影響によるツマミ体７への糸の絡み付きの確実な防止を図りながら、ツマミ体７の操作部７ｂを指でつまんでの回動操作を容易に行える。
又、スプ−ル形状により糸絡みを防止できる構成にしたので、ツマミ体７のデザイン的自由度が広がる。
【実施例２】
【００１８】
図３は第２実施例で、図３はスプ−ルの拡大断面側面図である。
【００１９】
第２実施例では、カバ−部材６は金属や合成樹脂でスプ−ル４の開口部４ｅに嵌合される筒部６ａと傾斜段部６ｂと筒部６ａより大径の筒部６ｃと、筒部６ｃより外側に断面直線状に広がる傾斜状環状面６ｆと頂部ａから前側鍔部４ｂ側に後退する外側の傾斜状環状面６ｅとで一体に形成されている。
大径の筒部６ｃと傾斜状環状面６ｆの内側の稜線ｂの開口径ｈ、傾斜状環状面６ｆの頂部ａの外側の稜線ｃの開口径Ｈとすると、ｈ＜Ｈで開口径が拡大されている。
カバ−部材６はスプ−ル４の前側の鍔部４ｂの前側にスプ−ル４と一体に突設形成してもよい。
他の構成は前記第１実施例と略同一である。
【実施例３】
【００２０】
図４は第３実施例で、図４はスプ−ルの拡大断面側面図である。
【００２１】
第３実施例では、カバ−部材６は金属や合成樹脂でスプ−ル４の開口部４ｅに嵌合される筒部６ａと傾斜段部６ｂと筒部６ａより大径の筒部６ｃと、筒部６ｃより外側に断面凹状に広がる傾斜状環状面６ｇと頂部ａから前側鍔部４ｂ側に後退する外側の傾斜状環状面６ｅとで一体に形成されている。
大径の筒部６ｃと傾斜状環状面６ｇの内側の稜線ｂの開口径ｈ、傾斜状環状面６ｇの頂部ａの外側の稜線ｃの開口径Ｈとすると、ｈ＜Ｈで開口径が拡大されている。
カバ−部材６はスプ−ル４の前側の鍔部４ｂの前側にスプ−ル４と一体に突設形成してもよい。
他の構成は前記第１実施例と略同一である。
【産業上の利用可能性】
【００２２】
前記説明では、ツマミ体７を、スプ−ル４の摩擦結合力を調節するドラグ調節用のツマミ体７として説明したが、スプ−ル軸５の先端部に回り止め嵌合されたスプ−ル４を抜け止めするツマミ体７として構成しても良い。
又、魚釣用スピニングリ−ルで述べたが、他の形式の魚釣用片軸受型リ−ルに実施してもよい。
【図面の簡単な説明】
【００２３】
【図１】第１実施例で、魚釣用スピニングリ−ルの断面側面図である。
【図２】スプ−ルの拡大断面側面図である。
【図３】第２実施例で、スプ−ルの拡大断面側面図である。
【図４】第３実施例で、スプ−ルの拡大断面側面図である。
【図５】従来のスプ−ルの拡大断面側面図である。
【符号の説明】
【００２４】
１  リ−ル本体
３  ロ−タ
４  スプ−ル
４ｄ  収容凹部
４ｅ  開口部
５  スプ−ル軸
６ｄ、６ｅ、６ｆ  傾斜状環状面
７  ツマミ体
７ａ  環状部
７ｂ  操作部７ｄ
１１  ハンドル
２７、２８  釣糸案内部
３０  釣糸
ｈ、Ｈ  開口径
【図１】
2006180788.tif 000003
【図２】
2006180788.tif 000004
【図３】
2006180788.tif 000005
【図４】
2006180788.tif 000006
【図５】
2006180788.tif 000007